(57)【要約】【課題】軽量で植栽された植物や土壌が飛散することなく、長年生育可能な壁面緑化用植栽容器の提供。【解決手段】発泡スチロール材で四角形の浅底容器を形成し、上部縁枠内に散水パイプを設置し、相対する縁枠角材の一対の表面にＬ型鉄板を  また、残り一対の縁枠角材を接着した容器の裏面にＬ型鉄板を接着剤とボルトにて固定し、縁枠周りと裏面をアスファルトルーフィングで覆って、軽量で破損や腐食しにくい浅底容器とし、この浅底容器内に生育土の移動を防止し、通水性の良い複数の孔を有する枠壁を持つ井桁枠を収納し、枠内に生育土を覆土し、これを転圧後、表面を不織布と格子状ネットで覆い、さらに容器全体をポリエチレン製のネットで保護し、裏面に掛止金具を取付けた浅底植栽容器とする。【選択図】図５
2012115216.tif 000002
【特許請求の範囲】
【請求項１】
発泡スチロール材で形成された浅底容器内に散水可能な散水パイプと枠壁に複数の孔を形成した井桁枠を収納したことを特徴とした植栽容器。
【請求項２】
上記記載の植栽容器を緑化対象壁面に沿って並設するとともに、隣り合う植栽容器の散水パイプを接続パイプで連結することを特徴とする壁面緑化工法。
【発明の詳細な説明】
【技術分野】
【０００１】
本発明は、壁面緑化を行う植栽容器に関するものである。
【背景技術】
【０００２】
近年、都市部の気温が周辺地域の気温に比べて高くなるヒートアイランド現象や建物の断熱性向上と景観の向上等を目的として屋上緑化の他に建物の壁面に設置される緑化設備が普及し始めている。
【０００３】
その一例として本発明者は、建物の壁面を緑化する方法として植生マット体に袋体入りの基盤土を一定間隔でハシゴ段状に取付け、さらに任意箇所に低木等を植栽する植栽鉢を形成した壁面用植栽マット体を発案し、この壁面用植栽マット体の平面部にセダムをハシゴ段状の袋状入り基盤土にはツタ植物を植栽鉢には低木や宿根草を植栽させ壁面へ固定しての緑化を図っている。
【０００４】
しかし、上記の壁面緑化方法は相当の重量になることから壁面へ多数設置した場合には荷重負荷が大きく、年月が経つにつれて強風等により基枠や壁面緑化盤が剥離する危険性と植栽土壌や植栽マット体に植栽されたセダムが飛散する危険性が懸念される等の課題があった。
【先行技術文献】
【特許文献】
【０００５】
【特許文献１】特開２０１０−２１３６２２号公報
【発明の概要】
【発明が解決しようとする課題】
【０００６】
軽量で植栽された植物や土壌が飛散することなく、長年生育可能な壁面緑化用植栽容器の提供。
【課題を解決するための手段】
【０００７】
発泡スチロール材で四角形の浅底容器を形成し、上部縁枠内に散水パイプを設置し、相対する縁枠角材の一対の表面にＬ型鉄板を  また、残り一対の縁枠角材を接着した容器の裏面にＬ型鉄板を接着剤とボルトにて固定し、縁枠周りと裏面をアスファルトルーフィングで覆って軽量で破損や腐食しにくい浅底容器とする。
【０００８】
この浅底容器内に、生育土の移動を防止し通水性の良い複数の孔を有する枠壁を持つ井桁枠を収納し、枠内に生育土を覆土し、これを転圧後、表面を不織布と格子状ネットで覆い、さらに容器全体をポリエチレン製のネットで保護し、裏面に掛止金具を取付けた浅底植栽容器とする。
【０００９】
設置方法は、壁面に取付けた格子状の網などの補助資材に、浅底植栽容器の裏面に形成した掛止金具を掛止させ、さらに浅底植栽容器を包み込んでいるポリエチレン製ネットと壁面に取付けた補助資材の複数箇所を金属線で結束固定し、隣接する浅底植栽容器の散水パイプを接続パイプで連結し、自動散水制御器より伸びている散水管に接続して壁面に設置する。
【発明の効果】
【００１０】
浅底の植栽容器を発泡スチロールで形成し、縁枠周りをＬ型鉄板とアスファルトルーフィングで覆ったことにより、劣化と破損を抑えるとともに軽量で腐食しにくい植栽容器は長期間の使用が可能である。また、生育土を井桁枠で区切り表面を不織布と二種類のネットで押えつけられた生育土は、飛散や滑落することもない。さらに散水パイプから散水される水は、井桁枠壁に形成された複数の枠壁孔から全体に行き渡り、植栽された植物根も枠壁孔を通りぬけ、周囲に伸広し垂直な壁面でも植栽植物が落下することがなく長期緑化が可能である。
【００１１】
また、パネル状の植栽容器は、壁面に取付けた補助資材に設置が容易で、急速壁面緑化が可能である。さらに断熱効果の高い発泡材で形成した植栽容器と植栽植物の組合せで、室内への断熱効果が生まれ、冷暖房費等の電気料を抑え経費削減が図れるとともに、従来の壁面装置より安価な価格で設置できる植栽容器である。  
【図面の簡単な説明】
【００１２】
【図１】浅底容器を示す斜視図である。
【図２】浅底容器の保護と井桁枠を設置する説明図である。
【図３】浅底植栽容器を示す斜視図である。
【図４】浅底植栽容器の断面を示す断面図である。
【図５】浅底植栽容器内にセダム等を植栽した斜視図である。
【図６】浅底植栽容器を壁面に取付ける説明図である。
【発明を実施するための形態】
【００１３】
本発明に係る植栽容器は、発泡スチロール材で形成した浅底容器内に散水パイプを収納し、複数の枠壁孔を形成した井桁枠を容器内に納め、覆土される生育土と井桁枠を不織布と硬質の格子状ネットで押さえ、ポリエチレンのネットで全体を包み込みセダムやツタ植物を植栽した植栽容器。
【実施例】
【００１４】
以下、本発明について、実施例を図に基づいて詳細に説明する。
図１は、厚さ２５ミリ・長さ５０センチ四方の硬質発泡スチロール板の縁周りに２５ミリ角の硬質発泡スチロール角材を縁枠１を設置し、上部縁枠は散水パイプが設置できるスペースを鉤型２に削り落とした縁枠１を  左右の縁枠には上部付近に散水パイプが通る孔を形成した縁枠を接着固定し、上部縁枠に散水パイプ３を設置し、折損防止に該縁枠角材の相対する一対の表面にＬ型鉄板４を  また、残り一対の縁枠角材を接着した容器の裏面にＬ型鉄板４を接着固定して浅底容器５とする。なお、浅底容器は上記大きさや高さに限定されるものではない。
【００１５】
図２は、発泡スチロール材で形成された浅底容器５の裏面及び周囲を形成している縁枠の劣化と破損防止を図るためにアスファルトルーフィング６で覆い、また容器内に覆土される生育土の移動と滑落を防止するために、腐食しにくい材質のアスファルトルーフィングか樹脂板で植物根や水を通す複数の枠壁孔を有する井桁枠７を形成し、浅底容器５内に収納する。
【００１６】
図３は、浅底容器内に設置した井桁枠内に挿木植栽に適した生育土（ココピート・バーク堆肥・水苔・オガ粉・良質土の混合土に有機肥料・遅効性肥料・化成肥料を添加）を圧縮比３０％分加算して覆土し、井桁枠高まで転圧後、生育土の飛散や滑落防止に表面を不織布と１センチ角の硬質ネット８で覆い、その上に容器等の保護と設置箇所に固定する補助資材として浅底容器ごと３センチ角のポリエチレン製のグリーンネット９で包み込み、該浅底容器の裏側でグリーンネットを結束紐で結束固定し、四隅において上下２枚のＬ型鉄板と表面２枚のネットをボルトナット１０にて固定し、さらに金属線１１を表面から裏面に複数個所貫通させ、表面と裏面のグリーンネットを結束固定して浅底植栽容器１２とする。
【００１７】
図４は、壁面に取付けた格子状の網などの補助資材に浅底植栽容器を掛止固定する掛止金具を浅底植栽容器の裏面に取付けた状態を示す断面図である。浅底植栽容器１２の四隅に固定したボルトナット１０の上部ボルトナット２箇所のナットをはずし、ボルトに掛止金具１３のボルト通し穴を通し、再びナットで締付け掛止金具１２を取付ける。該掛止金具が補助資材の格子状の網に掛止され、さらに浅底植栽容器を保護しているグリーンネットと格子状の網を金属線で結束固定して浅底植栽容器を補助資材に固定する。
【００１８】
図５は、浅底植栽容器内の生育土に不織布と２枚のネットで覆ったネット網目の任意箇所に不織布の上からセダム類とツタ類の茎葉１４を挿木植栽した浅底植栽容器１２を示すものであり、これを壁面に形成した格子状の網などの補助資材に取付けるものである。
【００１９】
図６は、浅底植栽容器を壁面に設置固定する説明図で、始めに壁面の緑化範囲に角パイプ１５を数十センチ間隔で垂直に固定し、この角パイプ１５に溶接金網１６を固定し、これに浅底植栽容器１２を掛止する補助資材を設置する。次にセダム類やツタ類が植栽された浅底植栽容器１２を補助資材の溶接金網１６に一定間隔に並ぶように掛止金具と金属線で固定し、隣接し合う浅底植栽容器１２の縁枠内に設置されている散水パイプを接続パイプ１７で連結し、自動散水制御器より伸びている散水管１８に接続して浅底植栽容器１２の設置とする。
【産業上の利用可能性】
【００２０】
不織布と井桁枠等により容器内に収納された生育土や植栽された植物は、垂直な面でも飛散や滑落することなく、長期生育が可能である。この植栽容器は、従来の壁面緑化装置より安価で設置することができ、荷重制限が厳しい既存建物の屋上や屋根緑化の緑化装置としても大いに利用される可能性の高い植栽容器である。
【符号の説明】
【００２１】
１    縁枠
２    鉤型
３    散水パイプ
４    Ｌ型鉄板
５    浅底容器
６    アスファルトルーフィング
７    井桁枠
８    硬質ネット
９    グリーンネット
１０    ボルトナット
１１    金属線
１２    浅底植栽容器
１３    掛止金具
１４    茎葉
１５    角パイプ
１６    溶接金網
１７    接続パイプ
１８    散水管
【図１】
2012115216.tif 000003
【図２】
2012115216.tif 000004
【図３】
2012115216.tif 000005
【図４】
2012115216.tif 000006
【図５】
2012115216.tif 000007
【図６】
2012115216.tif 000008